(57)【要約】【課題】晴天時、積雪時、薄暮時等にカメラの液晶画面を見ながら該カメラにより屋外で撮影し、あるいは既に撮影された画像を再生して該液晶画面により確認する際に、該液晶画面が見易くなるようにすると共に、構造が簡単であって、安価に提供することができ、カメラに対する着脱が容易であり、かつ、携帯に便利な、カメラにおける液晶画面の視認補助装置を提供する。【解決手段】基部９の両縁より一対の板状部１１、１１を延設して側面視略コ字状の遮光体１３を形成し、該遮光体１３には弾性を備えさせ、該基部９には液晶画面５を見るための拡大レンズ１５を嵌着してなることを特徴とする、カメラにおける液晶画面の視認補助装置。【選択図】図１
0003163842.tif 000002
【実用新案登録請求の範囲】
【請求項１】
基部の両縁より一対の板状部を延設して側面視略コ字状の遮光体を形成し、該遮光体には弾性を備えさせ、該基部には液晶画面を見るための拡大レンズを嵌着してなることを特徴とする、カメラにおける液晶画面の視認補助装置。
【請求項２】
前記各板状部の外面には、使用者の指を挿入するための指挿入部を備えさせたことを特徴とする請求項１に記載の液晶画面の視認補助装置。
【請求項３】
前記各板状部の内面には、前記基部の拡大レンズとカメラとの間の距離を一定に保持するためのストッパーを備えさせたことを特徴とする請求項１又は２に記載の液晶画面の視認補助装置。
【請求項４】
前記各板状部の内面における前記ストッパーと当該各板状部の先端縁との間にカメラを保護するための緩衝部材を取り付けたことを特徴とする請求項１〜３のいずれかに記載の液晶画面の視認補助装置。
【考案の詳細な説明】
【技術分野】
【０００１】
本考案は、カメラにおける液晶画面の視認補助装置に関するものであり、特に、晴天時、積雪時、薄暮時等にカメラを用いて屋外で撮影する際に、該カメラにおける液晶画面が見易くなるようにしたカメラにおける液晶画面の視認補助装置に係るものである。
【０００２】
本考案における「カメラ」は、カメラ機能付き携帯電話機を含むものとする。また、本考案における「カメラ」は、静止画を撮影するもののみならず、動画を撮影するもの、あるいは静止画と動画とを撮影するものを含む。
【背景技術】
【０００３】
晴天時、積雪時等にカメラの液晶画面を見ながら該カメラにより屋外で撮影し、あるいは既に撮影された画像を再生して該液晶画面により確認する際には、太陽光ないし強い自然光が該液晶画面に入射し、該液晶画面が極めて見難くなる。また、薄暮時にも液晶画面は見難いものである。更に、例えば多人数を撮影する際には、人と人との重なり具合その他の細かな点を液晶画面により確認することが困難なこともある。
【０００４】
このような状況に鑑み、本出願人は、実用新案登録第３１２４７９９号公報において、カメラの液晶モニターを視認するための外付け光学ファインダー（以下、「従来の外付け光学ファインダー」という。）を提供している。
【０００５】
この従来の外付け光学ファインダーは、光学ファインダーと、該光学ファインダーを支持する支持体とよりなり、該支持体には該支持体を折り畳むための折畳み手段と該支持体をカメラに着脱自在に取り付けるための取付手段とを備えさせてなるものである。
【先行技術文献】
【特許文献】
【０００６】
【特許文献１】実用新案登録第３１２４７９９号公報
【考案の概要】
【考案が解決しようとする課題】
【０００７】
しかるに、上記従来の外付け光学ファインダーは、一定の効果を発揮するものの、構造が複雑であるため、製造コストが嵩み、カメラに対する着脱が面倒であり、携帯時に嵩張る等の問題がある。また、上記従来の外付け光学ファインダーは、太陽光ないし自然光を遮る手段を備えていないため、太陽光ないし自然光が液晶画面に入射して、液晶画面が見難くなるという謗りを免れ得ないものである。
【０００８】
本考案は、上記従来の外付け光学ファインダーにおける上述の如き問題を解決し、晴天時、積雪時、薄暮時等にカメラの液晶画面を見ながら該カメラにより屋外で撮影し、あるいは既に撮影された画像を再生して該液晶画面により確認する際に、該液晶画面が見易くなるようにすると共に、構造が簡単であって、安価に提供することができ、カメラに対する着脱が容易であり、かつ、携帯に便利な、カメラにおける液晶画面の視認補助装置を提供しようとしてなされたものである。  
【課題を解決するための手段】
【０００９】
上記課題を解決するために、本考案は、下記の如きカメラにおける液晶画面の視認補助装置を提供する。
【００１０】
（１）基部の両縁より一対の板状部を延設して側面視略コ字状の遮光体を形成し、該遮光体には弾性を備えさせ、該基部には液晶画面を見るための拡大レンズを嵌着してなることを特徴とする、カメラにおける液晶画面の視認補助装置（請求項１）。
【００１１】
（２）前記各板状部の外面には、使用者の指を挿入するための指挿入部を備えさせる（請求項２）。
【００１２】
（３）前記各板状部の内面には、前記基部の拡大レンズとカメラとの間の距離を一定に保持するためのストッパーを備えさせる（請求項３）。
【００１３】
（４）前記各板状部の内面における前記ストッパーと当該各板状部の先端縁との間にカメラを保護するための緩衝部材を取り付ける（請求項４）。
【考案の効果】
【００１４】
［請求項１の考案］
側面視略コ字状の遮光体における一対の板状部をカメラにおける液晶画面側に挟み付けた状態で取り付けたときには、該液晶画面は該遮光体により太陽光ないし自然光から遮光される。したがって、晴天時、積雪時、薄暮時等にカメラの液晶画面を見ながら該カメラにより屋外で撮影し、あるいは既に撮影された画像を再生して該液晶画面により確認する際に、該液晶画面が見易くなる。
【００１５】
使用者は、遮光体の基部に嵌着された拡大レンズを介して液晶画面を拡大した状態で見ることができるため、該液晶画面は一層見易いものとなり、該液晶画面に表示された画像を細部まで容易に確認することができる。すなわち、視力の弱い者であっても、液晶画面を支障なく見ることができる。
【００１６】
この液晶画面の視認補助装置は、構造が簡単であって、安価に提供することができる。
【００１７】
この液晶画面の視認補助装置は、側面視略コ字状の遮光体における一対の板状部をカメラにおける液晶画面側に挟み付けた状態で取り付けることができ、しかも、該遮光体には弾性を有するため、カメラに対する着脱が極めて容易である。
【００１８】
この液晶画面の視認補助装置は、軽量かつコンパクトなものであり、携帯に便利である。すなわち、該視認補助装置は、衣類のポケット、ハンドバッグ等に収納して携帯するに適したものである。
【００１９】
［請求項２の考案］
遮光体における各板状部の外面には、使用者の指を挿入するための指挿入部を備えさせたため、使用者は、液晶画面の視認補助装置をカメラに着脱する際に、該指挿入部に指を挿入して遮光体の板状部を容易に拡開することができる。
【００２０】
［請求項３の考案］
各板状部の内面には、遮光体の基部に嵌着された拡大レンズとカメラとの間の距離を一定に保持するためのストッパーを備えさせたため、該拡大レンズとカメラの液晶画面との間の距離も一定となる。したがって、使用者は該拡大レンズを介して液晶画面を常に好ましい状態で視認することができる。
【００２１】
［請求項４の考案］
各板状部の内面における前記ストッパーと当該各板状部の先端縁との間にカメラを保護するための緩衝部材を取り付けたため、遮光体によりカメラの表面に傷が付くおそれはない。
【図面の簡単な説明】
【００２２】
【図１】図１は、本考案による液晶画面の視認補助装置の一例とカメラとを示す斜視図である。
【図２】図２は、同上視認補助装置の使用状態の一例を示す側面図である。
【図３】図３は、同上の平面図である。
【図４】図４は、同上視認補助装置の使用状態の別の一例を示す側面図である。
【考案を実施するための形態】
【００２３】
符号１に示すものは液晶画面の視認補助装置であり、符号３に示すものはカメラである。カメラ３は、液晶画面５とシャッターボタン７とを備えている。
【００２４】
液晶画面の視認補助装置１は、基部９の両縁より一対の板状部１１、１１を延設して側面視略コ字状の遮光体１３を形成し、該遮光体１３には弾性を備えさせ、該基部９には液晶画面５を見るための拡大レンズ１５を嵌着してなるものである。
【００２５】
遮光体１３は、好ましくは、基部９と一対の板状部１１、１１とを、例えば合成樹脂板等により、一体的に形成する。
【００２６】
遮光体１３は、変形したときでも常に側面視略コ字状に戻るように、弾性を備えさせる。すなわち、遮光体１３を弾性部材により形成し、あるいは遮光体１３にピアノ線等のばね体を内設する。
【００２７】
遮光体１３の基部９には、一例として透孔１７を形成し、該透孔１７内にレンズ保持体１８を介して拡大レンズ１５を嵌着する。拡大レンズ１５は、液晶画面５を拡大した状態で見るに適した光学レンズである。
【００２８】
各板状部１１、１１の外面には、使用者の指を挿入するための指挿入部１９、１９を備えさせる。指挿入部１９は、使用者の指を挿入するに適したものであれば如何なるものであってもよい。
【００２９】
各板状部１１、１１の内面には、前記基部９の拡大レンズ１５とカメラ３との間の距離を一定に保持するためのストッパー２１を備えさせる。ストッパー２１は、カメラ３の表面に当接するものであり、カメラ３の表面を傷つけるおそれのない柔軟な凸部ないし突条とすることが好ましい。
【００３０】
各板状部１１、１１の内面におけるストッパー２１と当該各板状部１１、１１の先端縁１１ａ、１１ａとの間にカメラ３を保護するための緩衝部材２３を取り付ける。緩衝部材２３としては、好ましくは柔軟材を各板状部１１、１１の内面に取り付ける。
【００３１】
図４に示すカメラ３は、カメラ機能付き携帯電話機である。
【００３２】
図１、図３に示す事例においては、各板状部１１、１１の先端縁１１ａ、１１ａにシャッターボタン７を露出させるための切欠部２５を形成している。
【００３３】
なお、図１に示す事例においては、遮光体１３は、該遮光体１３を例えば胸ポケット等に取り付けるための紐付き取付手段２７を備えている。
【符号の説明】
【００３４】
１  液晶画面の視認補助装置
３  カメラ
５  液晶画面
７  シャッターボタン
９  基部
１１  板状部
１１ａ  先端縁
１３  遮光体
１５  拡大レンズ
１７  透孔
１８  レンズ保持体
１９  指挿入部
２１  ストッパー
２３  緩衝部材
２５  切欠部
２７  紐付き取付手段
【図１】
0003163842.tif 000003
【図２】
0003163842.tif 000004
【図３】
0003163842.tif 000005
【図４】
0003163842.tif 000006